(57)【要約】【課題】積み重ねの安定性および積み重ね時の着脱性を高める。【解決手段】底部１４の底壁部２２は、上方へ向けて窪む収容部２５Ｂを備え、底壁部２２において収容部２５Ｂを回避する部分、および肩部１２のうち、いずれか一方には、ボトル軸方向に突出する嵌合凸部４１が設けられ、いずれか他方には、ボトル軸方向に窪む嵌合凹部４２が設けられ、当該ボトル１Ａが、当該ボトル１Ａとは異なる下側のボトル１Ｂ上に積み重ねられたときに、当該ボトル１Ａの収容部２５Ｂに下側のボトル１Ｂのキャップ３９が収容されるとともに、両ボトル１Ａ、１Ｂの嵌合凸部４１と嵌合凹部４２とが嵌合し合い、嵌合凸部４１および嵌合凹部４２にはそれぞれ、ボトル周方向の一方側から他方側に向かうに従い上方に向けて延び、ボトル周方向に沿って互いに摺動可能な第１摺動面４５が設けられている。【選択図】図２
2017154756.tif 000002
【特許請求の範囲】
【請求項１】
口部、肩部、胴部および底部がボトル軸方向に沿って順に連設され、前記口部にキャップが装着されたボトルであって、
前記底部の底壁部は、上方へ向けて窪む収容部を備え、
前記底壁部において前記収容部を回避する部分、および前記肩部のうち、いずれか一方には、ボトル軸方向に突出する嵌合凸部が設けられ、いずれか他方には、ボトル軸方向に窪む嵌合凹部が設けられ、
当該ボトルが、当該ボトルとは異なる他のボトル上に積み重ねられたときに、当該ボトルの前記収容部に前記他のボトルの前記キャップが収容されるとともに、両ボトルの前記嵌合凸部と前記嵌合凹部とが嵌合し合い、
前記嵌合凸部および前記嵌合凹部にはそれぞれ、ボトル周方向の一方側から他方側に向かうに従い上方に向けて延び、ボトル周方向に沿って互いに摺動可能な第１摺動面が設けられていることを特徴とするボトル。
【請求項２】
前記嵌合凸部および前記嵌合凹部はそれぞれ、ボトル周方向に複数配置され、
複数の前記嵌合凸部および複数の前記嵌合凹部はそれぞれ、ボトル周方向の全周にわたって連続して延びる凹凸部を形成していることを特徴とする請求項１に記載のボトル。
【請求項３】
前記肩部は、上方に向けて膨出する膨出部を備え、
前記底壁部は、外周縁部に位置する接地部と、前記接地部のボトル径方向の内側に位置するとともに前記収容部を有し、前記他のボトルの前記キャップおよび前記膨出部が進入可能な陥没部と、を備え、
前記嵌合凸部および前記嵌合凹部は、前記陥没部の内面または前記膨出部の外面に設けられていることを特徴とする請求項１または２に記載のボトル。
【請求項４】
前記陥没部の内面および前記膨出部の外面には、互いにボトル軸方向に着脱自在に係止する係止部が各別に設けられていることを特徴とする請求項３に記載のボトル。
【請求項５】
前記嵌合凸部および前記嵌合凹部にはそれぞれ、ボトル周方向の他方側から一方側に向かうに従い上方に向けて延び、ボトル周方向に沿って互いに摺動可能な第２摺動面が設けられていることを特徴とする請求項１から４のいずれか１項に記載のボトル。
【請求項６】
前記嵌合凸部および前記嵌合凹部におけるボトル周方向の一方側の端部にはそれぞれ、ボトル軸方向に延び、ボトル周方向に沿って互いに突き当たる規制面が設けられていることを特徴とする請求項１から４のいずれか１項に記載のボトル。
【発明の詳細な説明】
【技術分野】
【０００１】
本発明は、積み重ね可能なボトルに関する。
【背景技術】
【０００２】
この種のボトルとして、例えば下記特許文献１に記載の構成が知られている。
【先行技術文献】
【特許文献】
【０００３】
【特許文献１】特開２０１４−１９３７３７号公報
【発明の概要】
【発明が解決しようとする課題】
【０００４】
しかしながら、前記従来のボトルでは、積み重ねの安定性および積み重ね時の着脱性を高めることについて改善の余地がある。
【０００５】
本発明は、前述した事情に鑑みてなされたものであって、積み重ねの安定性および積み重ね時の着脱性を高めることができるボトルを提供することを目的とする。
【課題を解決するための手段】
【０００６】
前記課題を解決するために、本発明は以下の手段を提案している。
本発明に係るボトルは、口部、肩部、胴部および底部がボトル軸方向に沿って順に連設され、前記口部にキャップが装着されたボトルであって、前記底部の底壁部は、上方へ向けて窪む収容部を備え、前記底壁部において前記収容部を回避する部分、および前記肩部のうち、いずれか一方には、ボトル軸方向に突出する嵌合凸部が設けられ、いずれか他方には、ボトル軸方向に窪む嵌合凹部が設けられ、当該ボトルが、当該ボトルとは異なる他のボトル上に積み重ねられたときに、当該ボトルの前記収容部に前記他のボトルの前記キャップが収容されるとともに、両ボトルの前記嵌合凸部と前記嵌合凹部とが嵌合し合い、前記嵌合凸部および前記嵌合凹部にはそれぞれ、ボトル周方向の一方側から他方側に向かうに従い上方に向けて延び、ボトル周方向に沿って互いに摺動可能な第１摺動面が設けられていることを特徴とする。
【０００７】
この発明によれば、このボトルを他のボトル上に積み重ねるときには、両ボトルをボトル軸方向に接近させ、このボトルの収容部に他のボトルのキャップを収容させるとともに、両ボトルの嵌合凸部と嵌合凹部とを嵌合させ合う。この過程において、嵌合凸部と嵌合凹部とのボトル周方向の位置がずれている場合には、嵌合凸部が嵌合凹部内に部分的に進入して第１摺動面同士がボトル軸方向に突き当たった状態で、両ボトルをボトル軸方向に更に接近させる。すると、第１摺動面同士がボトル周方向に互いに摺動し、両ボトルがボトル周方向に相対的に回転して嵌合凸部が嵌合凹部内に更に深く進入する。これにより、嵌合凸部と嵌合凹部とが円滑に嵌合される。
他のボトルに積み重ねられたボトルを他のボトルから取り外すため、このボトルを他のボトルに対して持ち上げるときには、このボトルを他のボトルに対してボトル周方向の一方側から他方側に向けて回転させる。すると、第１摺動面同士がボトル周方向に互いに摺動することで、このボトルが他のボトルに対して摺り上がるように上昇し、嵌合凸部と嵌合凹部との嵌合が円滑に解除される。
以上のように、このボトルによれば、このボトルが他のボトル上に積み重ねられたときに、両ボトルの嵌合凸部と嵌合凹部とが嵌合し合う。これにより、例えば、積み重ねたボトルの相対的な変位を規制し易くすることが可能になり、積み重ねの安定性を高めることができる。
また、嵌合凸部および嵌合凹部にそれぞれ、第１摺動面が設けられている。したがって、このボトルを他のボトル上に積み重ねるときには、両ボトルをボトル軸方向に相対的に接近させることにより、嵌合凸部と嵌合凹部とを円滑に嵌合させることができる。また、このボトルを他のボトルから取り外すときには、両ボトルをボトル周方向に相対的に回転させることにより、前記嵌合を円滑に解除することができる。これにより、積み重ね時の着脱性を高めることができる。
【０００８】
前記嵌合凸部および前記嵌合凹部はそれぞれ、ボトル周方向に複数配置され、複数の前記嵌合凸部および複数の前記嵌合凹部はそれぞれ、ボトル周方向の全周にわたって連続して延びる凹凸部を形成していてもよい。
【０００９】
この場合、複数の嵌合凸部および複数の嵌合凹部がそれぞれ、凹凸部を形成している。したがって、ボトル周方向の全周にわたって嵌合凸部と嵌合凹部とを嵌合させ合うことが可能になり、積み重ねの安定性をより高めることができる。さらに、このボトルを他のボトル上に積み重ねるとき、およびこのボトルを他のボトルから取り外すときのいずれの場合においても、ボトル周方向の全周にわたって第１摺動面同士を摺動させることが可能になり、この摺動に伴う両ボトルの相対的な変位を安定させ易くすることができる。
【００１０】
前記肩部は、上方に向けて膨出する膨出部を備え、前記底壁部は、外周縁部に位置する接地部と、前記接地部のボトル径方向の内側に位置するとともに前記収容部を有し、前記他のボトルの前記キャップおよび前記膨出部が進入可能な陥没部と、を備え、前記嵌合凸部および前記嵌合凹部は、前記陥没部の内面または前記膨出部の外面に設けられていてもよい。
【００１１】
この場合、嵌合凸部および嵌合凹部が、陥没部の内面または膨出部の外面に設けられていて、接地部に設けられていない。したがって、このボトルの接地安定性を確保することができる。
【００１２】
前記陥没部の内面および前記膨出部の外面には、互いにボトル軸方向に着脱自在に係止する係止部が各別に設けられていてもよい。
【００１３】
この場合、陥没部の内面および膨出部の外面に係止部が各別に設けられているので、積み重ねの安定性を効果的に高めることができる。
【００１４】
前記嵌合凸部および前記嵌合凹部にはそれぞれ、ボトル周方向の他方側から一方側に向かうに従い上方に向けて延び、ボトル周方向に沿って互いに摺動可能な第２摺動面が設けられていてもよい。
【００１５】
この場合、嵌合凸部および嵌合凹部にそれぞれ、第２摺動面が設けられている。したがって、他のボトルに積み重ねられたボトルを他のボトルに対して持ち上げるときに、このボトルを他のボトルに対してボトル周方向の他方側から一方側に向けて回転させても、第２摺動面同士をボトル周方向に互いに摺動させることで、このボトルを他のボトルに対して上昇させることができる。これにより、積み重ね時の着脱性をより効果的に高めることができる。
【００１６】
前記嵌合凸部および前記嵌合凹部におけるボトル周方向の一方側の端部にはそれぞれ、ボトル軸方向に延び、ボトル周方向に沿って互いに突き当たる規制面が設けられていてもよい。
【００１７】
この場合、嵌合凸部および嵌合凹部にそれぞれ、規制面が設けられている。したがって、他のボトルに積み重ねられたボトルが他のボトルに対してボトル周方向の他方側から一方側に向けて意図せず回転しようとしても、規制面同士が互いに突き当てることで、この回転を規制することができる。これにより、積み重ねの安定性をより効果的に高めることができる。
【発明の効果】
【００１８】
本発明によれば、積み重ねの安定性および積み重ね時の着脱性を高めることができる。
【図面の簡単な説明】
【００１９】
【図１】本発明の第１実施形態に係るボトルの斜視図である。
【図２】図１に示すボトルを積み重ねる状態を示す要部の斜視図である。
【図３】図１に示すボトルを積み重ねた状態を示す要部の縦断面図であって、下側のボトルの口部を含む一部を側面視した図である。
【図４】本発明の第２実施形態に係るボトルの斜視図である。
【図５】図４に示すボトルを積み重ねる状態を示す要部の斜視図である。
【発明を実施するための形態】
【００２０】
（第１実施形態）
以下、図１から図３を参照し、本発明の第１実施形態に係るボトル１を説明する。
図１から図３に示すように、ボトル１は、口部１１、肩部１２、胴部１３および底部１４を備え、これらがそれぞれの中心軸線を共通軸上に位置した状態でこの順に連設された概略構成とされている。一例として、ボトル１は、射出成形により有底筒状に形成された合成樹脂材料からなるプリフォームが、ブロー成形されることで形成されている。
【００２１】
以下、上述した共通軸をボトル軸Ｏといい、ボトル軸Ｏ方向に沿って口部１１側を上側、底部１４側を下側という。また、ボトル１をボトル軸Ｏ方向から見た平面視において、ボトル軸Ｏに直交する方向をボトル径方向といい、ボトル軸Ｏ回りに周回する方向をボトル周方向という。なお、ボトル１はいわゆる角形ボトルである。ボトル１をボトル軸Ｏ方向の上方から見た上面視において、口部１１は円形状（真円形状）であり、肩部１２および胴部１３は多角形状（正多角形状）、本実施形態では、角部が面取りされた正方形状とされている。また、ボトル１をボトル軸Ｏ方向の下方から見た下面視において、底部１４は多角形状（正多角形状）、本実施形態では、角部が面取りされた正方形状とされている。
【００２２】
胴部１３は、ボトル軸Ｏ方向に沿って延びる筒状に形成されている。胴部１３において、上端部１３ａと下端部１３ｂとの間に位置する中央部１３ｃは、上端部１３ａおよび下端部１３ｂよりも小径である。胴部１３の下端部１３ｂは、上端部１３ａおよび中央部１３ｃよりも大径とされ、このボトル１の最大外径部を構成している。胴部１３の中央部１３ｃには、ラベルを装着することができる。
【００２３】
胴部１３の中央部１３ｃには、ボトル周方向に全周にわたって連続して延びる中央環状凹溝１５ｃが形成されている。胴部１３の下端部１３ｂには、ボトル周方向に全周にわたって連続して延びる下環状凹溝１５ｂが形成されている。
【００２４】
図３に示すように、底部１４は、有底筒状に形成されている。底部１４は、上端開口部が胴部１３の下端開口部に接続されたヒール部２１と、ヒール部２１の下端開口部を閉塞する接地可能な底壁部２２と、を備えている。
ヒール部２１は、上端部から下端部に向かうに従い漸次縮径している。ヒール部２１の上端部は、胴部１３の下端部１３ｂに接続されている。ヒール部２１の下端部は、底壁部２２の外周縁部に接続されている。
【００２５】
底壁部２２は、外周縁部に位置する接地部２４と、ボトル軸Ｏ上に位置するとともに上方へ向けて窪む陥没部２５と、を備えている。
接地部２４は、ボトル周方向の全周にわたって延びている。接地部２４は、ボトル軸Ｏに直交する水平面に沿って延びている。なお接地部２４は、接地面に対して面接触するように構成されていてもよく、線接触するように構成されていてもよい。
【００２６】
陥没部２５は、底壁部２２において接地部２４（外周縁部）のボトル径方向の内側に位置している。陥没部２５は、ボトル軸Ｏと同軸に配置されている。陥没部２５は、下側陥没部２５Ａと、上側陥没部２５Ｂと、を備えている。本実施形態においては、上側陥没部２５Ｂが、後述する下側のボトル１Ｂのキャップ３９を収容する収容部となる。下側陥没部２５Ａは、上側陥没部２５Ｂよりも大径であり、上側陥没部２５Ｂよりもボトル軸Ｏ方向に小さい（浅い）。下側陥没部２５Ａは、下環状凹溝１５ｂよりも下方に位置している。上側陥没部２５Ｂの上端縁は、胴部１３の下端部１３ｂよりも上方に位置している。
【００２７】
前記下面視において、下側陥没部２５Ａは、多角形状（正多角形状）となっていて、図示の例では、角部が面取りされた正方形状とされている。下側陥没部２５Ａは、接地部２４の内周縁部から上方に向けて延びる立ち上がり壁部２７と、立ち上がり壁部２７の上端部からボトル径方向の内側に向けて延びる連結壁部２８と、を備えている。
【００２８】
立ち上がり壁部２７は、ボトル軸Ｏ方向に延びる筒状に形成されている。立ち上がり壁部２７は、下方から上方に向かうに従い漸次縮径している。図示の例では、前記縦断面視において、立ち上がり壁部２７は、ボトル軸Ｏに対して傾斜しているが、ボトル軸Ｏと平行に延びていてもよい。
連結壁部２８は、ボトル軸Ｏ方向に開口する環状に形成されている。連結壁部２８は、ボトル径方向の内側に向かうに従い漸次、上側に向けて延びている。図示の例では、前記縦断面視において、連結壁部２８は、水平面に対して傾斜しているが、水平面と平行に延びていてもよい。
【００２９】
なお下側陥没部２５Ａは、肩部１２（後述する膨出部３７）の形状と一致させることが好ましい。立ち上がり壁部２７は、後述する段筒部３５の形状と一致させることが好ましい。連結壁部２８は、後述する上リング部３６の形状と一致させることが好ましい。
【００３０】
上側陥没部２５Ｂは、下側陥没部２５Ａから上方に向けて延び、上方に向かうに従い漸次縮径するテーパ壁部２９と、テーパ壁部２９の上端部からボトル軸Ｏ方向に沿って上方に向けて延びるストレート壁部３０と、ストレート壁部３０の上端開口部を閉塞する天壁部３１と、を備えている。前記下面視において、テーパ壁部２９は、多角形状（正多角形状）となっていて、ストレート壁部３０および天壁部３１は、円形状（真円形状）である。
【００３１】
テーパ壁部２９は、連結壁部２８の内周縁部から上方に延びている。テーパ壁部２９の上端縁は、下環状凹溝１５ｂよりも上方に位置している。テーパ壁部２９のボトル軸Ｏに対する傾斜角度は、立ち上がり壁部２７のボトル軸Ｏに対する傾斜角度よりも大きい。
前記縦断面視において、ストレート壁部３０の内周面は、ボトル軸Ｏと平行に延びている。ストレート壁部３０は、テーパ壁部２９よりもボトル軸Ｏ方向に小さい。
【００３２】
天壁部３１は、胴部１３の下端部１３ｂよりも上側に位置している。天壁部３１は、平板状に形成され、水平面に沿って延びている。天壁部３１には、上方へ向けて窪む天壁凹部３２が設けられている。天壁凹部３２は、ボトル１内部に向けて突となる球面状に形成され、ボトル軸Ｏと同軸に配置されている。
ストレート壁部３０と天壁部３１との接続部分３０ａは、上方に向かうに従い漸次縮径している。接続部分３０ａは、前記縦断面視において、ボトル１内部に向けて突となる曲線状に形成されている。
【００３３】
肩部１２は、胴部１３の上端部１３ａに連結されている。肩部１２は、胴部１３の上端部１３ａからボトル径方向の内側に向けて延び、ボトル径方向の内側に向かうに従い漸次上方に向けて延びている。肩部１２は、上下面を有するとともに互いに異径とされた複数のリング部３３が、ボトル軸Ｏ方向に延びる段筒部３５を介して連結されてなる段付き形状に形成されている。リング部３３は、大径の下リング部３４と、小径の上リング部３６と、を備えている。段筒部３５は、下リング部３４の内周縁部と上リング部３６の外周縁部とを連結している。
【００３４】
下リング部３４は、胴部１３の上端部１３ａからボトル径方向の内側に延びている。段筒部３５は、下リング部３４の内周縁部から上方に向けて延びている。上リング部３６は、段筒部３５の上端部からボトル径方向の内側に延びている。
段筒部３５および上リング部３６は、上方に向けて膨出する膨出部３７を構成している。膨出部３７の直径は、下側陥没部２５Ａの直径と同等以下であり、上側陥没部２５Ｂの直径よりも大きい。
【００３５】
口部１１は、肩部１２の内周縁部から上方に向けて延びている。口部１１の下端部には、ボトル周方向の全周にわたって延びるネックリング３８が設けられている。口部１１においてネックリング３８よりも上側に位置する部分には、雄ねじが形成されている。
【００３６】
口部１１には、外周面がボトル軸Ｏ方向に沿って延びるキャップ３９が装着されている。キャップ３９は、有頂筒状に形成されている。キャップ３９の頂壁部４０は、水平面に沿って延びている。キャップ３９の内周面には、前記雄ねじに対応する雌ねじが形成されている。キャップ３９は、口部１１に螺着されている。前記縦断面視において、キャップ３９の外周面は、ボトル軸Ｏと平行に延びている。キャップ３９の外周面は、ボトル周方向の全周にわたって連続して延びる円周面とされている。キャップ３９の直径は、ネックリング３８の直径と同等であり、ストレート壁部３０の直径と同等以下となっている。
【００３７】
図１および図２に示すように、底壁部２２において上側陥没部２５Ｂを回避する部分、および肩部１２のうち、いずれか一方には、ボトル軸Ｏ方向に突出する嵌合凸部４１が設けられ、いずれか他方には、ボトル軸Ｏ方向に窪む嵌合凹部４２が設けられている。本実施形態では、嵌合凸部４１が底壁部２２に設けられ、嵌合凹部４２が肩部１２に設けられている。
【００３８】
嵌合凸部４１は、陥没部２５の内面に設けられている。嵌合凸部４１は、連結壁部２８の下面に設けられている。嵌合凸部４１は、下方に向けて突出している。嵌合凸部４１の突出量は、ボトル周方向の両周端部から中央部に向かうに従い漸次、大きくなっている。嵌合凸部４１は、ボトル周方向に対称に形成されている。
【００３９】
嵌合凸部４１は、ボトル周方向に複数（図示の例では偶数）配置されている。複数の嵌合凸部４１同士は、互いに同等の形状で同等の大きさとされている。ボトル周方向に隣り合う嵌合凸部４１の周端部同士は、互いに連結されている。複数の嵌合凸部４１は、ボトル周方向の全周にわたって連続して延びる第１凹凸部４３を形成している。
【００４０】
嵌合凹部４２は、膨出部３７の外面に設けられている。嵌合凹部４２は、上リング部３６の上面に設けられている。嵌合凹部４２は、下方に向けて窪んでいる。嵌合凹部４２の窪み量は、ボトル周方向の両周端部から中央部に向かうに従い漸次、大きくなっている。嵌合凹部４２は、ボトル周方向に対称に形成されている。
【００４１】
嵌合凹部４２は、ボトル周方向に複数（図示の例では偶数）配置されている。複数の嵌合凹部４２同士は、互いに同等の形状で同等の大きさとされている。ボトル周方向に隣り合う嵌合凹部４２の周端部同士は、互いに連結されている。複数の嵌合凹部４２は、ボトル周方向の全周にわたって連続して延びる第２凹凸部４４を形成している。
【００４２】
図２および図３に示すように、ボトル１は、ボトル軸Ｏ方向に積み重ね可能である。互いに積み重ねられた一対のボトル１Ａ、１Ｂのうち、上側のボトル１Ａ（当該ボトル）は、下側のボトル１Ｂ（当該ボトルとは異なる他のボトル）上に積み重ねられる。このとき、上側のボトル１Ａの接地部２４は、下側のボトル１Ｂの肩部１２に肩部１２の上方から当接する。また、上側のボトル１Ａにおける陥没部２５の内部には、下側のボトル１Ｂのキャップ３９および膨出部３７（肩部１２の一部）が進入する。
【００４３】
上側陥没部２５Ｂの内部には、下側のボトル１Ｂのキャップ３９が収容される。ストレート壁部３０は、下側のボトル１Ｂのキャップ３９とボトル径方向に対向する。ストレート壁部３０の内部には、頂壁部４０を含むキャップ３９の上端部が位置する。なお、ストレート壁部３０の内周面とキャップ３９の外周面とは、当接してもよく、離間してもよい。キャップ３９の頂壁部４０と天壁部３１の下面とは、当接してもよく、離間してもよい。
【００４４】
そして本実施形態では、互いに積み重ねられた一対のボトル１Ａ、１Ｂの嵌合凸部４１と嵌合凹部４２とが嵌合し合う。なお図示の例では、第１凹凸部４３と第２凹凸部４４とがボトル周方向の全周にわたって嵌合し合う。
ここで、嵌合凸部４１および嵌合凹部４２にはそれぞれ、ボトル周方向の一方側から他方側に向かうに従い上方に向けて延び、ボトル周方向に沿って互いに摺動可能な第１摺動面４５と、ボトル周方向の他方側から一方側に向かうに従い上方に向けて延び、ボトル周方向に沿って互いに摺動可能な第２摺動面４６と、が設けられている。
【００４５】
第１摺動面４５および第２摺動面４６はいずれも、ボトル径方向から見た側面視においてボトル軸Ｏに対して傾斜する傾斜面となっている。嵌合凸部４１における第１摺動面４５および第２摺動面４６は、嵌合凸部４１におけるボトル周方向の中央部で互いにボトル周方向に連なっていて、前記中央部を基準としてボトル周方向に対称に形成されている。嵌合凹部４２における第１摺動面４５および第２摺動面４６は、嵌合凹部４２におけるボトル周方向の中央部で互いにボトル周方向に連なっていて、前記中央部を基準としてボトル周方向に対称に形成されている。
【００４６】
さらに本実施形態では、陥没部２５の内面および膨出部３７の外面には、互いにボトル軸Ｏ方向に着脱自在に係止する係止部４７、４８が各別に設けられている。係止部４７、４８は、陥没部２５の内面に設けられた第１係止部４７と、膨出部３７の外面に設けられた第２係止部４８と、を備えている。第１係止部４７および第２係止部４８はいずれも、ボトル周方向に間隔をあけて複数設けられている。
【００４７】
第１係止部４７は、立ち上がり壁部２７に設けられている。第１係止部４７は、立ち上がり壁部２７の内周面からボトル径方向に向けて窪んでいる。第１係止部４７のボトル周方向の中央部は、ボトル周方向に隣り合う嵌合凸部４１同士の連結部分と、ボトル周方向に同等の位置に配置されている。
【００４８】
第２係止部４８は、段筒部３５に設けられている。第２係止部４８は、段筒部３５の外周面からボトル径方向に向けて突出している。第２係止部４８は、第１係止部４７内に着脱自在に嵌合される。第２係止部４８のボトル周方向の中央部は、ボトル周方向に隣り合う嵌合凹部４２同士の連結部分と、ボトル周方向に同等の位置に配置されている。
【００４９】
上側のボトル１Ａを下側のボトル１Ｂ上に積み重ねるときには、両ボトル１Ａ、１Ｂをボトル軸Ｏ方向に接近させる。これにより、上側のボトル１Ａの上側陥没部２５Ｂに下側のボトル１Ｂのキャップ３９を収容させるとともに、両ボトル１Ａ、１Ｂの嵌合凸部４１と嵌合凹部４２とを嵌合させ合い、第１凹凸部４３と第２凹凸部４４とを嵌合させる。
この過程において、嵌合凸部４１と嵌合凹部４２とのボトル周方向の位置がずれている場合には、嵌合凸部４１が嵌合凹部４２内に部分的に進入して第１摺動面４５同士または第２摺動面４６同士がボトル軸Ｏ方向に突き当たった状態で、両ボトル１Ａ、１Ｂをボトル軸Ｏ方向に更に接近させる。すると、第１摺動面４５同士または第２摺動面４６同士がボトル周方向に互いに摺動し、両ボトル１Ａ、１Ｂがボトル周方向に相対的に回転して嵌合凸部４１が嵌合凹部４２内に更に深く進入する。これにより、嵌合凸部４１と嵌合凹部４２とが円滑に嵌合される。
【００５０】
上側のボトル１Ａを下側のボトル１Ｂから取り外すため、上側のボトル１Ａを下側のボトル１Ｂに対して持ち上げるときには、上側のボトル１Ａを下側のボトル１Ｂに対してボトル周方向の一方側から他方側に向けて回転させる。すると、第１摺動面４５同士がボトル周方向に互いに摺動することで、上側のボトル１Ａが下側のボトル１Ｂに対して摺り上がるように上昇し、嵌合凸部４１と嵌合凹部４２との嵌合が円滑に解除される。
なお本実施形態では、上側のボトル１Ａを下側のボトル１Ｂに対してボトル周方向の他方側から一方側に向けて回転させても、第２摺動面４６同士がボトル周方向に互いに摺動することで、上側のボトル１Ａが下側のボトル１Ｂに対して上昇する。
【００５１】
以上説明したように、本実施形態に係るボトル１によれば、上側のボトル１Ａが下側のボトル１Ｂ上に積み重ねられたときに、両ボトル１Ａ、１Ｂの嵌合凸部４１と嵌合凹部４２とが嵌合し合う。これにより、例えば、積み重ねたボトル１Ａ、１Ｂの相対的な変位を規制し易くすることが可能になり、積み重ねの安定性を高めることができる。
【００５２】
また、嵌合凸部４１および嵌合凹部４２にそれぞれ、第１摺動面４５が設けられている。したがって、上側のボトル１Ａを下側のボトル１Ｂ上に積み重ねるときには、両ボトル１Ａ、１Ｂをボトル軸Ｏ方向に相対的に接近させることにより、嵌合凸部４１と嵌合凹部４２とを円滑に嵌合させることができる。また、上側のボトル１Ａを下側のボトル１Ｂから取り外すときには、両ボトル１Ａ、１Ｂをボトル周方向に相対的に回転させることにより、前記嵌合を円滑に解除することができる。これにより、積み重ね時の着脱性を高めることができる。
【００５３】
また、嵌合凸部４１および嵌合凹部４２にそれぞれ、第２摺動面４６が設けられている。したがって、上側のボトル１Ａを下側のボトル１Ｂに対して持ち上げるときに、上側のボトル１Ａを下側のボトル１Ｂに対してボトル周方向の他方側から一方側に向けて回転させても、第２摺動面４６同士をボトル周方向に互いに摺動させることで、上側のボトル１Ａを下側のボトル１Ｂに対して上昇させることができる。これにより、積み重ね時の着脱性をより効果的に高めることができる。
【００５４】
また、複数の嵌合凸部４１および複数の嵌合凹部４２がそれぞれ、凹凸部４３、４４を形成している。したがって、ボトル周方向の全周にわたって嵌合凸部４１と嵌合凹部４２とを嵌合させ合うことが可能になり、積み重ねの安定性をより高めることができる。さらに、上側のボトル１Ａを下側のボトル１Ｂ上に積み重ねるとき、および上側のボトル１Ａを下側のボトル１Ｂから取り外すときのいずれの場合においても、ボトル周方向の全周にわたって第１摺動面４５同士や第２摺動面４６同士を摺動させることが可能になり、この摺動に伴う両ボトル１Ａ、１Ｂの相対的な変位を安定させ易くすることができる。
【００５５】
また、嵌合凸部４１および嵌合凹部４２が、陥没部２５の内面または膨出部３７の外面に設けられていて、接地部２４に設けられていない。したがって、ボトル１の接地安定性を確保することができる。
さらに、陥没部２５の内面および膨出部３７の外面に係止部４７、４８が各別に設けられているので、積み重ねの安定性を効果的に高めることができる。
【００５６】
また、ストレート壁部３０が、下側のボトル１Ｂのキャップ３９とボトル径方向に対向する。したがって、積み重ねられた上下一対のボトル１Ａ、１Ｂに対してボトル径方向（横方向）に相対的に変位するような外力（横力）が加えられたときに、ストレート壁部３０とキャップ３９とがボトル径方向に突き当たる。ストレート壁部３０およびキャップ３９の外周面は、いずれもボトル軸Ｏ方向に沿って延びているので、ストレート壁部３０とキャップ３９とがボトル径方向に突き当たることで、一対のボトル１Ａ、１Ｂのボトル径方向への相対的な移動を効果的に規制することができる。したがって、積み重ねられたボトル１が崩れるのを抑制することが可能になり、ボトル１を安定して積み重ねることができる。
【００５７】
また接地部２４が、下側のボトル１Ｂの肩部１２に肩部１２の上方から当接するので、上側のボトル１Ａの姿勢を下側のボトル１Ｂ上で安定させ易くすることができる。
さらに、天壁部３１に天壁凹部３２が設けられている。したがって、例えば、このボトル１をプリフォームから成形することで天壁部３１にゲート痕が形成される場合などであっても、ゲート痕を天壁凹部３２内に配置することができる。また、例えば内容物が充填されたボトル１について、天壁部３１が下方に膨出することを抑制することができる。これにより、ゲート痕などが、上側陥没部２５Ｂに収容される下側のボトル１Ｂのキャップ３９に干渉するのを抑えることが可能になり、上側のボトル１Ａの姿勢を下側のボトル１Ｂ上でより安定させ易くすることができる。
しかも、上側陥没部２５Ｂがテーパ壁部２９を備えている。したがって、このボトル１の成形に際してボトル１から金型を離型させるときに、テーパ壁部２９を抜きテーパとして利用して陥没部２５を精度良く成形することができる。このように高精度に形成された陥没部２５を利用してボトル１を積み重ねるので、上側のボトル１Ａの姿勢を下側のボトル１Ｂ上で一層安定させ易くすることができる。
以上のように、このボトル１では、上側のボトル１Ａの姿勢を下側のボトル１Ｂ上で安定させ易くすることができる。したがって、ストレート壁部３０とキャップ３９とをボトル径方向に精度良く突き当てることが可能になり、ボトル１を確実に安定して積み重ねることができる。
【００５８】
（第２実施形態）
次に、本発明に係る第２実施形態のボトル２を、図４および図５を参照して説明する。
なお、この第２実施形態においては、第１実施形態における構成要素と同一の部分については同一の符号を付し、その説明を省略し、異なる点についてのみ説明する。
【００５９】
本実施形態に係るボトル２では、嵌合凸部４１および嵌合凹部４２にそれぞれ、第２摺動面４６が設けられているのに代えて、嵌合凸部４１および嵌合凹部４２におけるボトル周方向の一方側の端部にそれぞれ、ボトル軸Ｏ方向に延び、ボトル周方向に沿って互いに突き当たる規制面４９が設けられている。規制面４９は、第１摺動面４５のボトル周方向の一方側の端部からボトル軸Ｏ方向に延びている。規制面４９は、ボトル軸Ｏ方向に平行に延びる鉛直面となっている。嵌合凸部４１および嵌合凹部４２はそれぞれ、ボトル周方向に非対称に形成されている。
【００６０】
なお本実施形態では、ボトル周方向の一方側から他方側に向かう方向が、前記上面視において、ボトル周方向に沿って反時計回りの方向（前記上面視において左回りの方向）となっているが、時計回りの方向（前記上面視において右回りの方向）であってもよい。
【００６１】
以上説明したように、本実施形態に係るボトル２によれば、嵌合凸部４１および嵌合凹部４２にそれぞれ、規制面４９が設けられている。したがって、上側のボトル２Ａが下側のボトル２Ｂに対してボトル周方向の他方側から一方側に向けて意図せず回転しようとしても、規制面４９同士が互いに突き当てることで、この回転を規制することができる。これにより、積み重ねの安定性をより効果的に高めることができる。
【００６２】
なお、本発明の技術的範囲は前記実施形態に限定されるものではなく、本発明の趣旨を逸脱しない範囲において種々の変更を加えることが可能である。
【００６３】
中央環状凹溝１５ｃおよび下環状凹溝１５ｂがなくてもよい。
上述した実施形態では、第１係止部４７がボトル径方向に窪み、第２係止部４８がボトル径方向に突出しているが、本発明はこれに限られない。
例えば、第１係止部４７がボトル径方向に突出し、第２係止部４８がボトル径方向に窪んでいてもよい。
さらに例えば、第１係止部４７および第２係止部４８の両方がボトル径方向に突出していて、第１係止部４７および第２係止部４８のうちの一方が、他方にアンダーカット嵌合してもよい。この場合、立ち上がり壁部２７と段筒部３５との間に若干の隙間があっても、係止部４７、４８を互いに強く係止させ易くすることができる。
上述した実施形態では、嵌合凸部４１が陥没部２５の内面に設けられていたが、これに代えて接地部２４の下面に設けることも可能である。
【００６４】
上述した実施形態では、嵌合凸部４１および嵌合凹部４２はそれぞれ、ボトル周方向に複数配置されているが、これに代えて、嵌合凸部４１および嵌合凹部４２をそれぞれ１つずつ設けることも可能である。
上述した実施形態では、底壁部２２に嵌合凸部４１が設けられ、肩部１２に嵌合凹部４２が設けられているが、本発明はこれに限られない。例えば、底壁部２２に嵌合凹部４２が設けられ、肩部１２に嵌合凸部４１が設けられていてもよい。
【００６５】
また、上述した実施形態では、肩部１２、胴部１３の上面視形状、及び底部１４の下面視形状（ボトル径方向に沿う横断面視形状）をそれぞれ多角形状としたが、本発明はこれに限られず、円形状にする等、適宜変更してもよい。
さらに、上述した実施形態では、ボトル１を二段に積み重ねる構成としたが、本発明はこれに限らず、三段以上の複数段積み重ねても構わない。
【００６６】
また、ボトル１を形成する合成樹脂材料は、例えばポリエチレンテレフタレートや、ポリエチレンナフタレート、非晶性ポリエステル等、またはこれらのブレンド材料等、適宜変更してもよい。
さらに、ボトル１は単層構造体に限らず中間層を有する積層構造体としてもよい。この中間層としては、例えばガスバリア性を有する樹脂材料からなる層、再生材からなる層、若しくは酸素吸収性を有する樹脂材料からなる層等が挙げられる。
【００６７】
その他、本発明の趣旨に逸脱しない範囲で、前記実施形態における構成要素を周知の構成要素に置き換えることは適宜可能であり、また、前記した変形例を適宜組み合わせてもよい。
【符号の説明】
【００６８】
１、１Ａ、１Ｂ、２、２Ａ、２Ｂ ボトル
１１   口部
１２   肩部
１３   胴部
１４   底部
２２   底壁部
２４   接地部
２５   陥没部
２５Ｂ 上側陥没部（収容部）
３７   膨出部
３９   キャップ
４１   嵌合凸部
４２   嵌合凹部
４３、４４     凹凸部
４５   第１摺動面
４６   第２摺動面
４７、４８     係止部
４９   規制面
Ｏ     ボトル軸
【図１】
2017154756.tif 000003
【図２】
2017154756.tif 000004
【図３】
2017154756.tif 000005
【図４】
2017154756.tif 000006
【図５】
2017154756.tif 000007